(57)【要約】  入金処理及び出金処理全体の処理効率を向上させるために、貨幣を受け入れる受入部と、貨幣の金種を識別し、金種毎の数を計数する識別部と、貨幣の収納及び繰り出しを行う収納繰出部と、貨幣を外部から取出し可能になるように出金する出金部と、貨幣を収納繰出部又は出金部に搬送する搬送部と、釣銭準備金の金種毎の数を示す釣銭情報を記憶する記憶部と、記憶部に記憶された釣銭情報及び識別部の識別結果に基づいて、受入部によって受け入れられた貨幣を収納繰出部又は出金部に搬送し、収納繰出部によって繰り出された貨幣を出金部に搬送するように搬送部を制御する制御部と、を備えている。
2009113152.tif 000002
【特許請求の範囲】
【請求項１】
貨幣を計数する入金処理及び釣銭準備金を作成する出金処理を行う貨幣処理システムであって、
前記貨幣を受け入れる受入部と、
前記貨幣の金種を識別し、金種毎の数を計数する識別部と、
前記貨幣の収納及び繰り出しを行う収納繰出部と、
前記貨幣を外部から取出し可能になるように出金する出金部と、
前記貨幣を前記収納繰出部又は前記出金部に搬送する搬送部と、
前記釣銭準備金の金種毎の数を示す釣銭情報を記憶する記憶部と、
前記記憶部に記憶された釣銭情報及び前記識別部の識別結果に基づいて、前記受入部によって受け入れられた貨幣を前記収納繰出部又は前記出金部に搬送し、前記収納繰出部によって繰り出された貨幣を前記出金部に搬送するように前記搬送部を制御する制御部と、を備えていることを特徴とする貨幣処理システム。
【請求項２】
前記制御部は、前記釣銭情報に示された釣銭準備金の数と前記出金部に搬送された貨幣の数との差に相当する数の貨幣を繰り出すように前記収納繰出部を制御し、当該収納繰出部によって繰り出された貨幣を前記出金部に搬送するように前記搬送部を制御する請求項１に記載の貨幣処理システム。
【請求項３】
前記収納繰出部は、前記搬送部によって搬送された貨幣を一時保留する一時保留部を有し、当該一時保留部に一時保留された貨幣の収納及び繰出しを行い、
前記制御部は、前記一時保留された貨幣のうち、前記釣銭情報に示された釣銭準備金の数と前記出金部に搬送された貨幣の数との差に相当する数の貨幣を繰り出すように前記収納繰出部を制御する請求項１又は２に記載の貨幣処理システム。
【請求項４】
前記受入部に投入された貨幣の全てが前記出金部又は前記収納繰出部に搬送された後に入金金額を承認する入金確定又は入金金額を承認しない入金取消の指示を受け付ける指示受付部を更に備え、
前記制御部は、前記指示受付部によって入金確定の指示が受け付けられた場合に、前記一時保留部に一時保留された貨幣を繰り出すように前記収納繰出部を制御する請求項３に記載の貨幣処理システム。
【請求項５】
文字又は画像を表示する表示部を更に備え、
前記制御部は、前記受入部に載置された貨幣の全てが前記出金部又は前記収納繰出部に搬送された後に前記指示の入力を促す文字又は画像を表示するように前記表示部を制御する請求項４に記載の貨幣処理システム。
【請求項６】
前記指示受付部は、前記釣銭情報の指示を受け付け、
前記制御部は、前記指示受付部によって受け付けられた釣銭情報を前記記憶部に書き込む請求項４又は５に記載の貨幣処理システム。
【請求項７】
前記制御部は、前記指示受付部によって入金取消の指示が受け付けられた場合に、前記一時保留部に一時保留された貨幣の全てを繰り出し、前記出金部へ搬送するように前記収納繰出部及び前記搬送部を制御する請求項４乃至６の何れか１項に記載の貨幣処理システム。
【請求項８】
前記制御部は、前記一時保留部に一時保留された貨幣のうち、前記出金部に直前に搬送された貨幣と同じ金種の貨幣を繰り出すように前記収納繰出部を制御する請求項３乃至７の何れか１項に記載の貨幣処理システム。
【請求項９】
前記出金部は、シャッタを有し、
前記制御部は、前記釣銭情報に示される釣銭準備金の数に相当する貨幣が前記出金部に搬送された場合に、前記シャッタを開くように前記出金部を制御する請求項１乃至８の何れか１項に記載の貨幣処理システム。
【請求項１０】
バラ状態の硬貨を計数し、計数結果を入金金額として確定する硬貨入金処理を行う硬貨処理装置と、
紙幣を計数し、計数結果を入金金額として確定する紙幣入金処理及び紙幣の釣銭準備金を作成する紙幣出金処理を行う紙幣処理装置と、
棒金を保管し、当該保管された棒金を用いて釣銭準備金を作成する硬貨出金処理を行う棒金処理装置と、
前記硬貨処理装置、前記紙幣処理装置及び前記棒金処理装置を制御する制御部と、
釣銭準備金の金種毎の数を示す釣銭情報を記憶する記憶部と、を備え、
前記硬貨処理装置は、
前記硬貨を受け入れる硬貨受入部と、
前記硬貨の金種を識別し、金種毎の数を計数する硬貨識別部と、
前記硬貨を収納する硬貨収納部と、
前記硬貨を前記硬貨収納部に搬送する硬貨搬送部と、を備え、
前記紙幣処理装置は、
前記紙幣を受け入れる紙幣受入部と、
前記紙幣の金種を識別し、金種毎の数を計数する紙幣識別部と、
前記紙幣の収納及び繰り出しを行う紙幣収納繰出部と、
前記紙幣を外部から取出し可能になるように出金する紙幣出金部と、
前記紙幣を前記紙幣収納繰出部又は前記紙幣出金部に搬送する紙幣搬送部と、を備え、
前記棒金処理装置は、
前記棒金の保管及び繰り出しを行う棒金保管繰出部と、
前記棒金を外部から取出し可能になるように出金する棒金出金部と、を備え、
前記制御部は、硬貨入金処理を前記硬貨処理装置に行わせ、紙幣入金処理を前記紙幣処理装置に行わせると共に、当該紙幣入金処理中に前記釣銭情報に基づいて前記紙幣受入部によって受け入れられた紙幣を前記紙幣出金部に搬送した後に、不足分の釣銭準備紙幣を前記紙幣収納繰出部から前記紙幣出金部に搬送する紙幣出金処理を前記紙幣処理装置に行わせ、更に前記釣銭情報に基づいて前記棒金保管繰出部から前記棒金出金部へ棒金を出金する硬貨出金処理を前記棒金処理装置に行わせることを特徴とする貨幣処理システム。
【発明の詳細な説明】
【技術分野】
【０００１】
本発明は、貨幣処理システムに関し、特に、店舗のバックヤードに設置され、売上金の計数及び釣銭準備金の作成を行う貨幣処理システムに関する。
【背景技術】
【０００２】
店舗のバックヤードには、当日営業の売上金を計数する入金処理を行う入金処理装置及び翌日営業の釣銭準備金を作成する出金処理を行う出金処理装置が設置されている。出金処理は、入金処理が終了した後（すなわち、当日営業の売上金が確定した後）に行われる。【０００３】
しかし、従来の貨幣処理システムでは、入金処理が行われた後に出金処理が行われるので、入金処理の処理時間が長くなればなるほど、出金処理を開始するまでの待ち時間も長くなる。その結果、貨幣処理システムの処理効率が低下し、入金処理開始時点から出金処理終了時点までの処理時間が長くなる。特に、近年の長時間営業の大型店舗（例えば、スーパーマーケット）では、入金処理及び出金処理の数が多く且つバックヤードの作業時間が限られているので、出金処理が翌日営業の直前に行われる場合もある。【０００４】
また、入金処理では、売上金を計数するために金種が識別され、金種毎の数が計数される。一方、出金処理では、収納された貨幣を出金するために貨幣の数が計数される。すなわち、入金処理と出金処理が別々に行われた場合には、計数が２回行われることになるので、非効率である（特開２００１−０６７５２６号公報、特開２００６−１５５３２６号公報及び特開２００７−６５７７６号公報）。
【発明の概要】
【０００５】
本発明は、このような点を考慮してなされたものであり、本発明によれば、貨幣処理システムの処理効率を向上させることができ、ひいては、入金処理開始時点から出金処理終了時点までの処理時間を短縮することができる。
【０００６】
本発明の第１態様によれば、貨幣を計数する入金処理及び釣銭準備金を作成する出金処理を行う貨幣処理システムであって、
前記貨幣を受け入れる受入部と、
前記貨幣の金種を識別し、金種毎の数を計数する識別部と、
前記貨幣の収納及び繰り出しを行う収納繰出部と、
前記貨幣を外部から取出し可能になるように出金する出金部と、
前記貨幣を前記収納繰出部又は前記出金部に搬送する搬送部と、
前記釣銭準備金の金種毎の数を示す釣銭情報を記憶する記憶部と、
前記記憶部に記憶された釣銭情報及び前記識別部の識別結果に基づいて、前記受入部によって受け入れられた貨幣を前記収納繰出部又は前記出金部に搬送し、前記収納繰出部によって繰り出された貨幣を前記出金部に搬送するように前記搬送部を制御する制御部と、を備えていることを特徴とする貨幣処理システムが提供される。
【０００７】
本発明において、前記制御部は、前記釣銭情報に示された釣銭準備金の数と前記出金部に搬送された貨幣の数との差に相当する数の貨幣を繰り出すように前記収納繰出部を制御し、当該収納繰出部によって繰り出された貨幣を前記出金部に搬送するように前記搬送部を制御することが好ましい。
【０００８】
本発明において、前記収納繰出部は、前記搬送部によって搬送された貨幣を一時保留する一時保留部を有し、当該一時保留部に一時保留された貨幣の収納及び繰出しを行い、
前記制御部は、前記一時保留された貨幣のうち、前記釣銭情報に示された釣銭準備金の数と前記出金部に搬送された貨幣の数との差に相当する数の貨幣を繰り出すように前記収納繰出部を制御することが好ましい。
【０００９】
本発明において、前記受入部に投入された貨幣の全てが前記出金部又は前記収納繰出部に搬送された後に入金金額を承認する入金確定又は入金金額を承認しない入金取消の指示を受け付ける指示受付部を更に備え、
前記制御部は、前記指示受付部によって入金確定の指示が受け付けられた場合に、前記一時保留部に一時保留された貨幣を繰り出すように前記収納繰出部を制御することが好ましい。
【００１０】
本発明において、文字又は画像を表示する表示部を更に備え、
前記制御部は、前記受入部に載置された貨幣の全てが前記出金部又は前記収納繰出部に搬送された後に前記指示の入力を促す文字又は画像を表示するように前記表示部を制御することが好ましい。
【００１１】
本発明において、前記指示受付部は、前記釣銭情報の指示を受け付け、
前記制御部は、前記指示受付部によって受け付けられた釣銭情報を前記記憶部に書き込むことが好ましい。
【００１２】
本発明において、前記制御部は、前記指示受付部によって取引取消の指示が受け付けられた場合に、前記一時保留部に一時保留された貨幣の全てを繰り出し、前記出金部へ搬送するように前記収納繰出部及び前記搬送部を制御することが好ましい。
【００１３】
本発明において、前記制御部は、前記一時保留部に一時保留された貨幣のうち、前記出金部に直前に搬送された貨幣と同じ金種の貨幣を繰り出すように前記収納繰出部を制御することが好ましい。
【００１４】
本発明において、前記出金部は、シャッタを有し、
前記制御部は、前記釣銭情報に示される釣銭準備金の数に相当する貨幣が前記出金部に搬送された場合に、前記シャッタを開くように前記出金部を制御することが好ましい。
【００１５】
本発明の第２態様によれば、バラ状態の硬貨を計数し、計数結果を入金金額として確定する硬貨入金処理を行う硬貨処理装置と、
紙幣を計数し、計数結果を入金金額として確定する紙幣入金処理及び紙幣の釣銭準備金を作成する紙幣出金処理を行う紙幣処理装置と、
棒金を保管し、当該保管された棒金を用いて釣銭準備金を作成する硬貨出金処理を行う棒金処理装置と、
前記硬貨処理装置、前記紙幣処理装置及び前記棒金処理装置を制御する制御部と、
釣銭準備金の金種毎の数を示す釣銭情報を記憶する記憶部と、を備え、
前記硬貨処理装置は、
前記硬貨を受け入れる硬貨受入部と、
前記硬貨の金種を識別し、金種毎の数を計数する硬貨識別部と、
前記硬貨を収納する硬貨収納部と、
前記硬貨を前記硬貨収納部に搬送する硬貨搬送部と、を備え、
前記紙幣処理装置は、
前記紙幣を受け入れる紙幣受入部と、
前記紙幣の金種を識別し、金種毎の数を計数する紙幣識別部と、
前記紙幣の収納及び繰り出しを行う紙幣収納繰出部と、
前記紙幣を外部から取出し可能になるように出金する紙幣出金部と、
前記紙幣を前記紙幣収納繰出部又は前記紙幣出金部に搬送する紙幣搬送部と、を備え、
前記棒金処理装置は、
前記棒金の保管及び繰り出しを行う棒金保管繰出部と、
前記棒金を外部から取出し可能になるように出金する棒金出金部と、を備え、
前記制御部は、硬貨入金処理を前記硬貨処理装置に行わせ、紙幣入金処理を前記紙幣処理装置に行わせると共に、当該紙幣入金処理中に前記釣銭情報に基づいて前記紙幣受入部によって受け入れられた紙幣を前記紙幣出金部に搬送した後に、不足分の釣銭準備紙幣を前記紙幣収納繰出部から前記紙幣出金部に搬送する紙幣出金処理を前記紙幣処理装置に行わせ、更に前記釣銭情報に基づいて前記棒金保管繰出部から前記棒金出金部へ棒金を出金する硬貨出金処理を前記棒金処理装置に行わせることを特徴とする貨幣処理システムが提供される。
【図面の簡単な説明】
【００１６】
【図１】は、本発明の実施例１に係る貨幣処理システムの構成を示すブロック図である。
【図２】は、図１の紙幣処理装置１２０の構成を示すブロック図である。
【図３】は、図１の操作ターミナル１４０の外観を示す平面図である。
【図４】は、本発明の実施例１に係る釣銭情報１１２のデータ構造を示す概略図である。
【図５】は、本発明の実施例１に係る取引の処理手順を示すフローチャートである。
【図６】は、確認メッセージ画面の一例を示す概略図である。
【図７】は、本発明の実施例１に係る紙幣の第１釣銭準備金作成処理（図５のＳ５０３）の処理手順を示すフローチャートである。
【図８】は、本発明の実施例１に係る紙幣の第２釣銭準備金作成処理（図５のＳ５０８）の処理手順を示すフローチャートである。
【図９】は、本発明の実施例２に係る貨幣処理システムの構成を示すブロック図である。
【図１０】は、図９の硬貨処理装置２３０の構成を示すブロック図である。
【図１１】は、図９の棒金処理装置２５０の構成を示す概略図である。
【図１２】は、本発明の実施例２に係る釣銭情報２１２のデータ構造を示す概略図である。
【図１３】は、本発明の実施例２に係る硬貨の第１釣銭準備金作成処理（図５のS５０３）の処理手順を示すフローチャートである。
【発明を実施するための最良の形態】
【００１７】
以下、本発明の実施例について図面を参照して説明する。なお、以下の実施例は、本発明の実施の一形態であって、本発明の範囲を限定するものではない。
【実施例１】
【００１８】
はじめに、本発明の実施例１について説明する。本発明の実施例１は、入金処理及び出金処理を同時に行う貨幣処理システムの例である。【００１９】
図１は、本発明の実施例１に係る貨幣処理システムの構成を示すブロック図である。【００２０】
本発明の実施例１に係る貨幣処理システムは、制御部１００、記憶部１１０、本発明の実施例１に係る貨幣処理装置としての紙幣処理装置１２０及び硬貨処理装置１３０並びに操作ターミナル１４０を備えている。【００２１】
なお、本発明の実施例１は、貨幣処理装置としての紙幣処理装置１２０及び硬貨処理装置１３０が存在する例であるが、紙幣処理装置１２０と貨幣処理装置１３０は何れも同様の構成を有しているので、具体的構成については紙幣処理装置１２０を例に説明し、硬貨処理装置１３０の具体的構成の説明は省略する。また、本発明の実施例１では、紙幣処理装置１２０又は貨幣処理装置１３０の一方のみが存在する貨幣処理システムであっても良い。【００２２】
制御部１００は、記憶部１１０、紙幣処理装置１２０、硬貨処理装置１３０及び操作ターミナル１４０に接続されている。制御部１００は、記憶部１１０に記憶された制御プログラム１１１に従って紙幣処理装置１２０、硬貨処理装置１３０及び操作ターミナル１４０を制御する。【００２３】
記憶部１１０は、制御プログラム１１１及び釣銭情報１１２を記憶する。記憶部１１０は、制御部１００のワーキングメモリとしても動作する。制御プログラム１１１は貨幣処理システムを制御するためのプログラムであり、釣銭情報１１２は釣銭準備金の金種毎の数を示す情報である。釣銭準備金の金種及び数は、例えば店舗のレジ毎に異なっていても良いし、全てのレジが同じであっても良い。【００２４】
紙幣処理装置１２０は、紙幣を計数し、紙幣入金処理及び釣銭準備金を作成する紙幣出金処理を行う。硬貨処理装置１３０は、バラ状態の硬貨を計数し、硬貨入金処理及び釣銭準備金を作成する硬貨出金処理を行う。【００２５】
図２は、図１の紙幣処理装置１２０の構成を示すブロック図である。【００２６】
紙幣処理装置１２０は、紙幣受入部１２１、紙幣識別部１２２、紙幣リジェクト部１２３、紙幣出金部１２４、紙幣収納繰出部１２５Ａ〜Ｃ、紙幣一時保留部１２６Ａ〜Ｃ及び紙幣搬送部１２７を有している。【００２７】
紙幣受入部１２１は、投入された紙幣を１枚ずつ取り込んで紙幣処理装置１２０の中に受け入れる。【００２８】
紙幣識別部１２２は、紙幣受入部１２１によって受け入れられた紙幣の金種を識別し、金種毎の数を計数する。【００２９】
紙幣リジェクト部１２３は、紙幣識別部１２２によって金種が識別されなかった紙幣（以下、「リジェクト紙幣」という）を集積する。【００３０】
紙幣出金部１２４は、釣銭用の紙幣（以下、「釣銭準備紙幣」という）を紙幣処理装置１２０の外部から取出し可能になるように出金する。紙幣出金部１２４は、図示されないシャッタを有する。紙幣出金部１２４は、取引が確定されたときにロックを解除し、シャッタを開き、外部から紙幣の取出しが可能になる。【００３１】
紙幣収納繰出部１２５Ａ〜Ｃは、紙幣を収納する収納機構及び収納された紙幣を繰り出す繰出機構を有する。【００３２】
紙幣一時保留部１２６Ａ〜Ｃは、紙幣収納繰出部１２５Ａ〜Ｃの一部として構成される。紙幣一時保留部１２６Ａ〜Ｃは、紙幣搬送部１２７によって搬送された紙幣を収納済みの紙幣と区分けして一時保留し、操作ターミナル１４０によって入金金額が承認され、入金確定の指示が受け付けられたときに一時保留を解除する。一時保留が解除されたときには、一時保留されていた紙幣は、紙幣収納繰出部１２５Ａ〜Ｃに収納される。一方、操作ターミナル１５０によって入金金額が承認されず、入金取消の指示が受け付けられた場合には、一時保留されていた紙幣は繰出機構によって繰り出される。【００３３】
紙幣搬送部１２７は、紙幣受入部１２１によって受け入れられた紙幣を紙幣識別部１２２に搬送し、紙幣識別部１２２の識別結果に基づいて紙幣リジェクト部１２３、紙幣出金部１２４、紙幣収納繰出部１２５Ａ〜Ｃ又は紙幣一時保留部１２６Ａ〜Ｃに当該紙幣を搬送する。紙幣搬送部１２７は、紙幣収納繰出部１２５Ａ〜Ｃによって繰り出された紙幣を紙幣出金部１２４に搬送する。【００３４】
なお、本発明の実施例１では、紙幣収納繰出部１２５Ａ〜Ｃ及び紙幣一時保留部１２６Ａ〜Ｃの数は３つに限られるものではない。【００３５】
図３は、図１の操作ターミナル１４０の外観を示す平面図である。【００３６】
操作ターミナル１４０は、指示受付部１４１、表示部１４２、ＩＤ情報読取部１４３、印字部１４４及び報知部１４５を有している。【００３７】
例えば、指示受付部１４１はオペレータの指示を受け付ける複数のキーであり、表示部１４２は所定の情報を表示する液晶ディスプレイであり、ＩＤ情報読取部１４３はカードリーダであり、印字部１４４はプリンタであり、報知部１４５は音又は光を出力するスピーカ又はランプである。【００３８】
なお、本発明の実施例１では、指示受付部１４１がオペレータのＩＤ情報の入力を受け付けても良い。その場合には、指示受付部１４１とＩＤ情報読取部１４３は同一である。【００３９】
図４は、本発明の実施例１に係る釣銭情報１１２のデータ構造を示す概略図である。【００４０】
釣銭情報１１２は、釣銭準備紙幣の金種毎の金額及び数を示す釣銭準備紙幣情報１１２Ａ並びに釣銭準備硬貨の金種毎の金額及び数を示す釣銭準備硬貨情報１１２Ｂを含む。釣銭情報１１２は、指示受付部１４１によって受け付けられたオペレータの指示又は予め登録されている情報に基づいて設定され、記憶部１１０に記憶される。【００４１】
図５は、本発明の実施例１に係る取引の処理手順を示すフローチャートである。なお、本発明の実施例１に係る取引は、記憶部１１０に釣銭情報１１２が記憶されていることを前提とする。【００４２】
はじめに、指示受付部１４１によってオペレータの取引情報の指示が受け付けられる（Ｓ５０１）。取引情報は、レジＩＤ、売上金額並びに残置された紙幣及び硬貨の金種毎の数を含む。【００４３】
次に、記憶部１１０に記憶された釣銭情報１１２が読み出される（Ｓ５０２）。【００４４】
次に、後述の第１釣銭準備金作成処理が行われる（Ｓ５０３）。第１釣銭準備金作成処理では、売上金を計数するための入金処理及び釣銭準備金を作成するための出金処理が同時に行われる。【００４５】
次に、図６に示されるような確認メッセージ画面が表示部１４２に表示される（Ｓ５０４）。確認メッセージ画面は、メッセージ１４２Ａ、ＹＥＳボタン１４２Ｂ及びＮＯボタン１４２Ｃを含む。メッセージ１４２Ａは、文字であっても良いし、画像であっても良い。操作ターミナル１４０は、ＹＥＳボタン１４２Ｂが選択された場合には入金確定の指示を受け付け、ＮＯボタン１４２Ｃが選択された場合には入金取消の指示を受け付ける。【００４６】
Ｓ５０４において表示されたＹＥＳボタン１４２Ｂが選択された場合には（Ｓ５０５−ＹＥＳ）、取引が確定される（Ｓ５０６）。このとき、Ｓ５０１において受け付けられた取引情報及びＳ５０３において行われた第１釣銭準備金作成処理の処理結果が記憶部１１０に書き込まれる。【００４７】
次に、紙幣一時保留部１２６Ａ〜Ｃに一時保留された全ての紙幣が、紙幣収納繰出部１２５Ａ〜Ｃに収納される（Ｓ５０７）。【００４８】
次に、後述の第２釣銭準備金作成処理が行われる（Ｓ５０８）。第２釣銭準備金作成処理は、Ｓ５０３において行われた第１釣銭準備金作成処理の後に不足している釣銭準備金を作成するための出金処理を行うための処理である。【００４９】
次に、印字部１４４によって、Ｓ５０６において確定された取引情報、Ｓ５０３において行われた第１釣銭準備金作成処理の処理結果及びＳ５０８において行われた第２釣銭準備金作成処理の処理結果を含むジャーナルが印字される（Ｓ５０９）。このとき、紙幣出金部１２４のシャッタが開かれる。【００５０】
一方、Ｓ５０４において表示されたＮＯボタン１４２Ｃが選択された場合には（Ｓ５０５−ＮＯ）、紙幣一時保留部１２６Ａ〜Ｃに一時保留された全ての紙幣が、紙幣収納繰出部１２５Ａ〜Ｃによって紙幣搬送部１２７に繰り出され、紙幣搬送部１２７によって紙幣出金部１２４に搬送され、紙幣出金部１２４から紙幣処理装置１２０の外に出金される（Ｓ５１０）。【００５１】
本発明の実施例１に係る取引は、Ｓ５０９，Ｓ５１０の後に終了する。【００５２】
図７は、本発明の実施例１に係る紙幣の第１釣銭準備金作成処理（図５のＳ５０３）の処理手順を示すフローチャートである。【００５３】
はじめに、紙幣受入部１２１によって投入された紙幣が紙幣処理装置１２０の中に受け入れられる（Ｓ７０１）。【００５４】
次に、紙幣識別部１２２によってＳ７０１において受け入れられた紙幣の金種が識別され、金種毎の数が計数される（Ｓ７０２）。【００５５】
次に、Ｓ７０２における紙幣識別部１２２の計数結果を示す紙幣計数データが記憶部１１０に書き込まれる（Ｓ７０３）。このとき、既に紙幣計数データが記憶部１１０に記憶されている場合には、当該紙幣計数データが更新される。【００５６】
次に、図５のＳ５０１において受け付けられた取引情報及び図５のＳ５０２において読み出された釣銭情報１１２に基づいて紙幣釣銭データが算出される（Ｓ７０４）。紙幣釣銭データは、釣銭準備紙幣の不足数を示すデータであり、釣銭情報１１２に示される釣銭準備紙幣の金種毎の数と取引情報に示される残置紙幣の金種毎の数との差である。【００５７】
次に、Ｓ７０４において算出された紙幣釣銭データが正の値を示す場合（すなわち、釣銭準備紙幣が不足している場合）には（Ｓ７０５−ＹＥＳ）、Ｓ７０２において識別された紙幣は、紙幣搬送部１２７によって紙幣出金部１２４に搬送される（Ｓ７０６）。【００５８】
次に、紙幣釣銭データの値が−１（減算）される（Ｓ７０７）。【００５９】
一方、Ｓ７０４において算出された紙幣釣銭データが０以下である場合（すなわち、釣銭準備紙幣が充足している場合）には（Ｓ７０５−ＮＯ）、Ｓ７０２において識別された紙幣は、紙幣搬送部１２７によって紙幣一時保留部１２６Ａ〜Ｃに搬送される（Ｓ７０８）。【００６０】
Ｓ７０１〜Ｓ７０８は、紙幣受入部１２１に紙幣が残っている間繰り返され（Ｓ７０９−ＹＥＳ）、紙幣受入部１２１に紙幣がなくなった場合に紙幣処理装置１２０の第１釣銭準備金作成処理が終了する（Ｓ７０９−ＮＯ）。【００６１】
図８は、本発明の実施例１に係る紙幣の第２釣銭準備金作成処理（図５のＳ５０８）の処理手順を示すフローチャートである。【００６２】
はじめに、紙幣釣銭データが正の値を示す場合（すなわち、釣銭準備紙幣が不足している場合）には（Ｓ８０１−ＹＥＳ）、不足している金種について紙幣収納繰出部１２５Ａ〜Ｃから必要枚数の紙幣が紙幣搬送部１２７に繰り出され、紙幣搬送部１２７によって紙幣出金部１２４に搬送される（Ｓ８０２）。【００６３】
次に、紙幣釣銭データの値が−１（減算）される（Ｓ８０３）。【００６４】
一方、紙幣釣銭データが０以下である場合（すなわち、釣銭準備紙幣が充足している場合）には（Ｓ８０１−ＮＯ）、紙幣処理装置１２０の第２釣銭準備金作成処理が終了する。【００６５】
本発明の実施例１によれば、１回の取引において売上金等を計数する入金処理及び釣銭準備金を作成する出金処理が同時に行われるので、貨幣処理システムの処理効率を向上させることができ、ひいては、入金処理開始時点から出金処理終了時点までの処理時間を短縮することができる。
【実施例２】
【００６６】
次に、本発明の実施例２について説明する。本発明の実施例２は、硬貨の入金処理が硬貨処理装置によって行われ、硬貨の出金処理が棒金処理装置によって行われる例である。実施例２では、硬貨処理装置が出金処理を行わないので、硬貨の入金処理では金種別に分類する必要がなく、金種混合状態で一括して処理される。【００６７】
図９は、本発明の実施例２に係る貨幣処理システムの構成を示すブロック図である。【００６８】
本発明の実施例２に係る貨幣処理システムは、制御部２００、記憶部２１０、紙幣処理装置２２０、硬貨処理装置２３０、操作ターミナル２４０及び棒金処理装置２５０を備えている。【００６９】
制御部２００は、記憶部２１０、紙幣処理装置２２０、硬貨処理装置２３０、操作ターミナル２４０及び棒金処理装置２５０に接続されている。制御部２００は、記憶部２１０に記憶された制御プログラム２１１に従って紙幣処理装置２２０、硬貨処理装置２３０、操作ターミナル２４０及び棒金処理装置２５０を制御する。【００７０】
記憶部２１０は、制御プログラム２１１及び釣銭情報２１２を記憶する。記憶部２１０は、制御部２００のワーキングメモリとしても動作する。制御プログラム２１１は貨幣処理システムを制御するためのプログラムであり、釣銭情報２１２は釣銭準備金の金種毎の数を示す情報である。釣銭準備金の金種及び数は、例えば店舗のレジ毎に異なっていても良いし、全てのレジに共通していても良い。【００７１】
紙幣処理装置２２０は、紙幣を計数し、紙幣入金処理及び釣銭準備金を作成する紙幣出金処理を行う。紙幣処理装置２２０は、本発明の実施例１に係る紙幣処理装置１２０の各部１２１〜１２７と同様の構成２２１〜２２７を有している。硬貨処理装置２３０は、バラ状態の硬貨を計数し、硬貨入金処理を行う。棒金処理装置２５０は、棒金を保管し、当該保管された棒金を用いて釣銭準備金を作成する硬貨出金処理を行う。【００７２】
図１０は、図９の硬貨処理装置２３０の構成を示すブロック図である。【００７３】
硬貨処理装置２３０は、硬貨受入部２３１、硬貨識別部２３２、硬貨返却部２３３、硬貨収納部２３４、硬貨一時保留部２３５及び硬貨搬送部２３６を備えている。【００７４】
硬貨受入部２３１は、投入された硬貨を１枚ずつ取り込んで硬貨処理装置２３０の中に受け入れ、当該硬貨を硬貨識別部２３２に繰り出す。【００７５】
硬貨識別部２３２は、硬貨受入部２３１によって繰り出された硬貨の金種を識別し、金種毎の数を計数する。【００７６】
硬貨一時保留部２３５は、硬貨搬送部２３６によって搬送された硬貨を一括して一時保留し、操作ターミナル２４０によって入金金額が承認され、入金確定の指示が受け付けられたときには、図１０のＡ方向へ移動して一時保留されていた硬貨を硬貨収納部２３４に一括して収納する。一方、操作ターミナル２４０によって入金取消の指示が受け付けられたときには、一時保留部２３５は、図１０のＢ方向へ移動して一時保留されていた硬貨を硬貨返却部２３３に返却する。【００７７】
硬貨返却部２３３は、返却用の硬貨（以下、「返却硬貨」という）を硬貨処理装置２３０の外部から取出し可能になるように返却する。硬貨返却部２３３は、図示されないシャッタを有する。硬貨返却部２３３は、操作ターミナル２４０によって入金金額が承認されず、入金取消の指示が受け付けられたときに一時保留部２３５から硬貨を受け取り、ロックを解除し、シャッタを開き、外部から硬貨の取出しが可能になる。【００７８】
硬貨収納部２３４は、操作ターミナル２４０によって入金金額が承認され、入金確定の指示が受け付けられたときに硬貨一時保留部２３５に一時保留された硬貨を一括して収納する。【００７９】
硬貨搬送部２３６は、硬貨受入部２３１によって繰り出された硬貨を硬貨識別部２３２に搬送し、硬貨識別部２３２の識別結果に基づいて硬貨一時保留部２３５に当該硬貨を搬送する。【００８０】
図１１は、図９の棒金処理装置２５０の構成を示す概略図である。【００８１】
棒金処理装置２５０は、棒金保管繰出部２５１Ａ〜Ｋ、棒金計数部２５２Ａ〜Ｋ及び棒金出金部２５３を備えている。【００８２】
棒金保管繰出部２５１Ａ〜Ｋは、金種毎に棒金を整列状態で保管するトレー形状であって、トレーの引き出し量によって必要な数の棒金を出金することができる保管機構を有する。【００８３】
棒金計数部２５２Ａ〜Ｋは、棒金保管繰出部２５１Ａ〜Ｋに対応して設けられている。棒金計数部２５２Ａ〜Ｋは、棒金保管部２５１Ａ〜Ｋに保管された棒金のうち出金される棒金の数を計数する。【００８４】
棒金出金部２５３は、釣銭用の棒金（以下、「釣銭準備棒金」という）を棒金処理装置２５０の外に出金する。棒金出金部２５３は、シャッタ構造を有する。棒金出金部２５３は、操作ターミナル２４０によって入金確定の指示が受け付けられ、必要な棒金が計数された後にロックを解除し、シャッタを開く。【００８５】
なお、本発明の実施例２では、棒金保管繰出部２５１Ａ〜Ｋ及び棒金計数部２５２Ａ〜Ｋの数は１１個にし、釣銭準備硬貨として需要が高い金種を複数個にするようにしているが、これに限られるものではない。【００８６】
図１２は、本発明の実施例２に係る釣銭情報２１２のデータ構造を示す概略図である。【００８７】
釣銭情報２１２は、釣銭準備紙幣の金種毎の金額及び数を示す釣銭準備紙幣情報２１２Ａ並びに釣銭準備棒金の金種毎の金額及び数を示す釣銭準備棒金情報２１２Ｂを含む。釣銭情報２１２は、指示受付部２４１によって受け付けられたオペレータの指示又は予め登録されている情報に基づいて設定され、記憶部２１０に記憶される。【００８８】
次に、本発明の実施例２に係る硬貨の第１釣銭準備金作成処理について説明する。なお、本発明の実施例２では、取引は本発明の実施例１（図５）と同様に行われ、紙幣の第１釣銭準備金作成処理（図５のＳ５０３）は本発明の実施例１（図７）と同様に行われ、第２釣銭準備金作成処理（図５のＳ５０８）は紙幣についてのみ行われる。【００８９】
図１３は、本発明の実施例２に係る硬貨の第１釣銭準備金作成処理（図５のＳ５０３）の処理手順を示すフローチャートである。【００９０】
はじめに、硬貨受入部２３１によって投入された硬貨が硬貨処理装置２３０の中に受け入れられ、硬貨識別部２３２に繰り出される（Ｓ１３０１）。【００９１】
次に、硬貨識別部２３２によってＳ１３０１において繰り出された硬貨の金種が識別され、金種毎の数が計数される（Ｓ１３０２）。【００９２】
次に、Ｓ１３０２における硬貨識別部２３２の計数結果を示す硬貨計数データが記憶部２１０に書き込まれる（Ｓ１３０３）。このとき、既に硬貨計数データが記憶部２１０に記憶されている場合には、当該硬貨計数データが更新される。【００９３】
次に、図５のＳ５０１において受け付けられた取引情報及び図５のＳ５０２において読み出された釣銭情報２１２に基づいて硬貨釣銭データが算出される（Ｓ１３０４）。硬貨釣銭データは、釣銭準備硬貨の不足数を示すデータであり、釣銭情報２１２に示される釣銭準備硬貨の金種毎の数と取引情報に示される残置硬貨の金種毎の数との差である。本発明の実施例２では、硬貨の入金はバラ硬貨で行われ、釣銭準備金の出金は棒金で行われる。従って、釣銭準備情報２１２に示された釣銭準備硬貨の数に相当する棒金の本数が硬貨釣銭データとして算出される。【００９４】
Ｓ１３０１〜Ｓ１３０４は、硬貨受入部２３１に硬貨が残っている間繰り返され（Ｓ１３０５−ＹＥＳ）、硬貨受入部２３１に硬貨がなくなった場合に硬貨処理装置２３０及び棒金処理装置２５０の第１釣銭準備金作成処理が終了する（Ｓ１３０５−ＮＯ）。【００９５】
本発明の実施例２によれば、紙幣の入金処理と出金処理を同時に行う紙幣処理装置２２０と、硬貨の入金処理を行う硬貨処理装置２３０と、硬貨の出金処理を行う棒金処理装置２４０を含む貨幣処理システムとしたので、紙幣の売上金等を計数する入金処理及び紙幣の釣銭準備金を作成する出金処理が紙幣処理装置２２０によって同時に行われ、且つ硬貨の売上金等を計数する入金処理が硬貨処理装置２３０によって行われ、硬貨の釣銭準備金を作成する出金処理が棒金処理装置２４０によって硬貨の入金処理と同時に行われるので、本発明の実施例１と同様の効果に加えて、釣銭準備硬貨を持ち運びし易い棒金で作成することができる。
【図１】
2009113152.tif 000003
【図２】
2009113152.tif 000004
【図３】
2009113152.tif 000005
【図４】
2009113152.tif 000006
【図５】
2009113152.tif 000007
【図６】
2009113152.tif 000008
【図７】
2009113152.tif 000009
【図８】
2009113152.tif 000010
【図９】
2009113152.tif 000011
【図１０】
2009113152.tif 000012
【図１１】
2009113152.tif 000013
【図１２】
2009113152.tif 000014
【図１３】
2009113152.tif 000015
【国際調査報告】
2009113152.tif 000016
2009113152.tif 000017
2009113152.tif 000018